(57)【特許請求の範囲】
【請求項１】
上下縁に形成された係合連結部にて互いに連結された複数のスラットより構成されるスラットカーテンの昇降を案内するガイド溝内に、該ガイド溝の溝幅を狭める係合条片が突設されたガイドレールと、
前記ガイドレールのガイド溝内を移動する前記スラットの端部に、該スラットの長手方向に延出して設けられる可撓性を有した連結体と、
前記連結体の先端に設けられ、前記ガイド溝内の前記係合条片と係脱自在となる規制爪片と、
を具備し、前記連結体は、その基部が前記スラットの端部に固定手段により固定され、スラットに対してスラット板面の表裏方向に揺動自在とされていることを特徴とするシャッターにおけるスラットカーテンの抜止構造。
【請求項２】
前記連結体は、可撓性を有する短冊平板状の板バネよりなることを特徴とする請求項１記載のシャッターにおけるスラットカーテンの抜止構造。
【請求項３】
前記ガイドレールの係合条片は、前記ガイド溝の開口からガイド溝の奥方向に向いて延出する略Ｌ字状に形成され、該ガイド溝の内側壁とで該ガイド溝の奥方向に開口する溝が形成されており、前記規制爪片は、先端縁が前記係合条片の延出方向と逆の方向に向いて延出し、前記ガイド溝内の前記溝と係脱自在となることを特徴とする請求項１又は２記載のシャッターにおけるスラットカーテンの抜止構造。
【発明の詳細な説明】
【０００１】
【発明の属する技術分野】
本発明は、スラットカーテンが風圧などによってガイドレールから抜け出すのを防止するシャッターにおけるスラットカーテンの抜止構造に関するものである。
【０００２】
【従来の技術】
シャッターのスラットカーテンが、閉鎖状態の際に、風などの外力が加わって撓み、スラットカーテンの昇降の案内を行うガイドレールから抜け出て外れてしまう不具合を防止する抜け止め防止構造については、従来、種々の公知技術が知られている。
【０００３】
例えば、実開昭６２−８５６８８号公報に開示されている構造では、スラットカーテンを構成するスラットの両側端部に、ガイドレール内へ突出する先端Ｌ字状の抜止爪を設け、スラットカーテンが撓んだ際に、この抜止爪をガイドレールの内縁に設けられた突条部に係合させることで、抜け止めとさせるようになっている。
【０００４】
また、図６に示すようなスラットカーテン２０のスラット２１の両端部２１ａにＴ字状に形成された抜止爪２２を設け、ガイドレール２３内にてスラット板厚方向の表裏面両方向に突出する構造とし、スラットカーテン２１が撓んだ際に、ガイドレール２３の開口溝２４における両縁部の突条部２５に係合できるように構成されている抜止構造などもある。
【０００５】
【発明が解決しようとする課題】
しかしながら、上述した従来のスラットカーテンの抜止構造では、スラットの板面に対して略直角に折曲形成されている爪構造であることから、ガイドレールの開口溝に対して真直な方向には、効果的な抜け止めとなるが、スラットが外力により撓むと、ガイドレールの突条部との係合が互いに傾斜した状態となることから、その係合状態に角度が生じてしまい、効果的な係合状態とならず、特にスラットの撓み量が大きくなると、その係合状態が不確実なものとなり、すなわち、ガイドレールからスラットが抜け出てしまうおそれがあった（図６参照）。
【０００６】
また、上記のような不具合を解消するために、抜止爪を大きく構成させ、ガイドレールとの係合状態をより確実なものとさせる例もあるが、この場合、抜止爪とスラットとの固定部分を強固に構成させなければならず、ガイドレール内に位置するスラットの端部構造が大型化となり、重量が増すなどの問題が生じてしまう。
【０００７】
さらに、上記のような抜止爪の構造によると、スラットカーテン２０を巻き取り、巻回状態とした際に、図７（ｂ）に示すように、抜止爪２２が互いに干渉しあい、スラット２１同士に隙間を生じた状態となって巻き取られ、図７（ａ）に示すように、この抜止爪２２の厚さによって巻径が大きくなる欠点がある。
また、スラットカーテン２０を巻き取った際に、これら抜止爪２２が各スラット２１の巻取状態を支えるようになることから、スラット２１と抜止爪２２との固定部分及びこの抜止爪２２自体に強度が必要となり、上述した大型化の問題と同様の問題が発生してしまう。
【０００８】
そこで本発明は、上記問題点を解消するために、風などの外力によりスラットカーテンが撓んでも、このスラットカーテンの端縁がガイドレールから抜け出すことがなく、かつスラットカーテンを巻き取り巻回状態とした際に、巻径が増大することのないシャッターにおけるスラットカーテンの抜止構造を提供することを目的としている。
【０００９】
【課題を解決するための手段】
次に、上記の課題を解決するための手段を、実施の形態に対応する図面を参照して説明する。
この発明のシャッターにおけるスラットカーテンの抜止構造は、上下縁に形成された係合連結部９Ａ，９Ｂにて互いに連結された複数のスラット８より構成されるスラットカーテン７の昇降を案内するガイド溝２内に、該ガイド溝２の溝幅を狭める係合条片５が突設されたガイドレール１と、
前記ガイドレール１のガイド溝２内を移動する前記スラット８の端部８ａに、該スラット８の長手方向に延出して設けられる可撓性を有した連結体１０と、
前記連結体１０の先端１０ｂに設けられ、前記ガイド溝２内の前記係合条片５と係脱自在となる規制爪片１２と、
を具備し、前記連結体１０は、その基部が前記スラット８の端部８ａに固定手段１１により固定され、スラットに対してスラット板面の表裏方向に揺動自在とされていることを特徴としている。
また、前記連結体１０は、可撓性を有する短冊平板状の板バネにより形成することができる。
【００１０】
このような構成によれば、風などの外力によってスラットカーテン７が撓んだ場合、スラットカーテン７のスラット８の端部８ａに連結体１０を介して設けられた規制爪片１２と、ガイドレール１内の係合条片５とが係合しあい、スラットカーテン７がガイドレール１から抜け出すことがない。
【００１１】
そして、このとき、スラット８と規制爪片１２とを連結する連結体１２が可撓性を有する材質にて構成されることから、この連結体１０がスラット８の撓みによる変形に伴い、同方向に撓んだり、またその方向に対して反対の方向に反ることとなり、規制爪片１２と係合条片５との係合状態を維持させる。
【００１２】
また、スラットカーテン７を巻き取り、巻回状態とした際に、連結体１０が撓むことから、各規制爪片１２が重合状態となっても、重なり合う規制爪片１２が互いに退くようになり、これにより、スラットカーテン７の巻回状態がスラット８のみの巻回状態と略同様となり、すなわち、規制爪片１２が巻回状態の妨げとなることがなく、スラットカーテン７の巻径を小径とすることが可能となる。
【００１３】
なお、前記ガイドレールの係合条片５は、前記ガイド溝２の開口からガイド溝２の奥方向に向いて延出する略Ｌ字状に形成され、該ガイド溝２の内側壁とで該ガイド溝２の奥方向に開口する溝６が形成されており、前記規制爪片１２は、先端縁１４ａが前記係合条片５の延出方向と逆の方向に向いて延出し、前記ガイド溝２内の前記溝６と係脱自在とする構成としてもよい。
【００１４】
このような構成によれば、風などの外力によってスラットカーテン７が撓んだ場合、スラットカーテン７のスラット８の端部８ａに連結体１０を介して設けられた規制爪片１２の先端縁１４ａと、ガイドレール１内の溝６とが噛み合うように係合しあい、スラットカーテン７がガイドレール１から抜け出すことがない。
【００１５】
【発明の実施の形態】
図１は本発明によるシャッターにおけるスラットカーテンの抜止構造の実施の形態を示す斜視図である。
【００１６】
まず、スラットカーテンの昇降を案内するガイドレール１は、スラットカーテンの左右両側縁を支持するように左右一対で構成され、建物などの開口の左右縁部に垂直に配設され、互いに向き合う一側が、図１に示すように開口し、ガイド溝２とされて、断面略コ字状に形成されている。
【００１７】
このガイドレール１のガイド溝２の開口両縁部３，４における対向する各内面には、スラットカーテンが昇降移動する際の擦れ防止及び防音のための消音帯（図示せず）が突条状に設けられている。
【００１８】
また、このガイドレール１のガイド溝２における一方の開口縁部３には、係合条片５が設けられている。
【００１９】
この係合条片５は、ガイド溝２内において、ガイド溝２の開口側からガイド溝２の奥方向に向いて延出するように形成されるとともに、ガイドレール１の長手方向に沿って連続して形成されている。
【００２０】
そして、この係合条片５とガイド溝２の内側壁面にて、奥方向に開口する小幅な溝６が形成される。
【００２１】
次に、上記ガイドレール１に両側縁を支持され昇降を案内されるシャッターのスラットカーテン７は、複数の横長な略短冊状のスラット８で構成されており、各スラット８の上下両端縁部に形成されている係合連結部としてのカール部９Ａ，９Ｂにて互いが回動自在となるように上下に連続して連結されて構成されている。
【００２２】
連結された各スラット８の所定枚数毎の複数枚、例えば１枚おきの各スラット８には、左右両端部８ａに連結体１０が設けられている。
【００２３】
この連結体１０は、本実施の形態では可撓性を有する短冊平板状の板バネよりなり、スラット８の端部８ａにおける一方の板面に、リベットなどの固定手段１１にて基端１０ａが固定され、先端１０ｂがスラット８の長手方向に真直に延出するように設けられており、スラット８に対してこのスラット８の板面の表裏面方向に揺動自在となっている。
【００２４】
また、この連結体１０の先端１０ｂには、規制爪片１２が設けられている。
【００２５】
この規制爪片１２は、例えばガラス繊維が混入された合成樹脂など硬質な樹脂よりなり、図１に示すように、基部１３と爪部１４とが直角をなして一体成形された略Ｌ字状に形成されているとともに、爪部１４の先端縁１４ａがさらに直角に折曲形成されて、フック形状に形成されている。
【００２６】
そして、この規制爪片１２は、リベットなどの固定手段１５にて連結体１０の先端１０ｂに、基部１３を固定され設けられる。
固定された状態は、爪部１４がスラット８のいずれか一方の面側となり、先端縁１４ａがスラット８の中心方向に向くようになる。
【００２７】
従ってこのように構成されたスラットカーテン７の抜止構造では、通常の動作時では、スラットカーテン７の両端部は左右ガイドレール１のガイド溝２内に案内されて、昇降（開閉）動作が行われる。
このとき、スラットカーテン７の規制爪片１２の先端縁１４ａと、ガイドレール１の係合条片５とは、それぞれ逆方向に延出するような略向き合う位置関係で、溝６内に規制爪片１２の先端縁１４ａがやや進入して、互いに係合することなく、ガイドレール１内をスラットカーテン７が移動する。
【００２８】
そして、閉鎖状態となっているスラットカーテン７に、風などの外力が加わり、スラットカーテン７が煽られ撓むと、図２（ａ）及び（ｂ）に示すように、スラット８が湾曲変形し、スラット８の端部８ａに連結体１０を介して設けられている規制爪片１２の先端縁１４ａが、ガイドレール１のガイド溝２内の溝６内に嵌入し、互いに略フック状に形成される規制爪片１２と係合条片５とが互いに噛み合うように係合する。
【００２９】
このとき、スラット８と規制爪片１２とを連結する連結体１０が可撓性を有する板バネよりなることから、図２（ａ），（ｂ）に示すように、この連結体１０がスラット８の撓みによる変形に伴い、同方向に撓んだり、またその方向に対して反対の方向に反ることとなり、規制爪片１２と係合条片５との係合状態を維持させる。
【００３０】
これにより、スラット８はガイドレール１と係合状態となり、風などの外力でスラットカーテン７が撓んでも、スラット８の端部８ａがガイドレール１から抜け出てしまうのを防止される。
【００３１】
特に、風が強い際に、スラット８の撓み量が大きくなりガイドレール１の側壁をも撓ませてしまう場合であっても、スラット８の端部８ａにおいて、連結体１０が撓むことで、規制爪片１２と係合条片５との係合状態は解除されることなく係合状態を保ち、ガイドレール１からスラット８が抜け出てしまうことはない。
【００３２】
そして、この連結体１０を設けた構成によれば、連結体１０が撓むことにより、スラット８が外力にて撓みガイドレール１に対してスラット８を抜け出させようとする力が、規制爪片１２と係合条片５との係合部分に掛かり、連結体１０とスラット８及び規制爪片１２との各固定部分へはせん断力のみとなって、その抜け出させようとする力を分散させることとなり、従来の抜止構造のようなスラットの端部に対して片持ち梁状に設けられる抜止爪と異なり、回転モーメントが発生することがなく、固定部分に無理な応力を発生させることなく破損させてしまうことがない。
【００３３】
また、このスラットカーテンの抜止構造によれば、スラットカーテン７を巻き取り、巻回状態とした際に、図３（ｂ）に示すように、連結体１０が撓むことから、各規制爪片１２が重合状態となっても、重なり合う規制爪片１２が互いに退くようになり、これにより、スラットカーテン７の巻回状態が図３（ａ）に示すようにスラット８のみの巻回状態と略同様となる。すなわち、規制爪片１２が巻回状態の妨げとなることがなく、スラット８同士を密に巻き取ることとなり、スラットカーテン７の巻径を小径とすることが可能となる。
【００３４】
さらに、巻径が小径に構成できることから、巻回状態のスラットカーテン７を収納する収納ケースを小型に構成することが可能となる。
【００３５】
なお、上述した実施の形態では、連結体１０を板バネにて構成する例について述べたが、可撓性を有する素材であればこれに限定されることはなく、例えば、弾力性，じん性，耐久性，引張強さなどに優れたピアノ線などの硬鋼線材などにて構成してもよい。
【００３６】
この硬鋼線材よりなる連結体１０の場合、スラット８の両端部８ａに固定するように連結体１０をそれぞれ設ける構成でも良いが、スラット８の長手方向に全通してスラット８の一方の面に取り付ける構成とし、両端をスラット８の両端８ａから延出させ、それぞれの先端部に規制爪片１２を設ける構成とする。この構成によれば、両端の規制爪片１２の距離が固定されることとなり、スラット８が撓んでも連結体１０が左右ガイドレール１間でその長さを維持することとなってスラット８の抜け出し防止効果が向上することとなる。
【００３７】
また、上述した実施の形態では、連結体１０と規制爪片１２とを別体の構成とした例について述べたが、連結体１０の先端をフック状に形成し、規制爪片１２として構成させてもよく、さらに、フック状に形成した連結体１０の先端部分を、樹脂などにてコーティングさせて規制爪片１２を構成させてもよい。
【００３８】
さらに、スラットカーテン７を巻回状態としたときに、連結体１０が撓むことによって規制爪片１２がその巻取状態を干渉することがないことから、この規制爪片１２の形状に自由度を得られ、すなわち、上述した実施の形態の規制爪片１２の形状に限定されることがなく、また、ガイドレール１のガイド溝２に形成される係合条片５の形状も、上述した実施の形態のように略Ｌ字状の形状としなくてもよい。
【００３９】
例えば、図４に示すように、ガイドレール１のガイド溝２内における奥方となるガイド溝２底部に対向するように一対の係合条片５を突設し、このガイド溝２内にガイド溝２の溝幅を狭めるように形成し、また、連結体１０の先端１０ｂに設けられる規制爪片１２をガイド溝２の幅方向に延出する略板状に形成し、この規制爪片１２と連結体１０とで略Ｔ字状に形成させ、係合条片５対の奥方に規制爪片１２を位置させた構成としてもよく、規制爪片１２と係合条片５とを係脱自在とさせる。
なお、この板状の規制爪片１２の場合では、図５（ａ）に示すように、連結体１０との固定部分となる基部１３を規制爪片１２の略中央部分に突設させる形状とし、連結体１０の先端１０ｂと固定手段１５にて固定させる構成としてもよく、また、図５（ｂ）に示すように、連結体１０の先端１０ｂをＬ字状に折曲形成し、このＬ字部分と板状の規制爪片１２の略中央とを固定手段１５にて固定させる構成としてもよい。
【００４０】
また、上述した実施の形態では、スラットカーテン７の各スラット８における１枚おきの各スラット８に連結体１０及び規制爪片１２を設ける構成の例について述べたが、スラット８の左右幅の長さなどスラットカーテン７の大きさなどに応じて、連結体１０及び規制爪片１２の構成数を増減させてもよい。
【００４１】
【発明の効果】
以上説明したように本発明によるスラットカーテンの抜止構造では、閉鎖状態となっているスラットカーテンに、風などの外力が加わり、スラットカーテンが煽られ撓んだ際に、スラットの端部に連結体を介して設けられている規制爪片と、ガイドレールのガイド溝内に突設される係合条片とが互いに係合することとなるので、スラットの端部がガイドレールのガイド溝から抜け出て外れてしまうのを防止することができるという効果がある。
【００４２】
また、スラットと規制爪片とを連結する連結体を可撓性を有する材質にて構成したことにより、この連結体がスラットの撓みによる変形に伴い、同方向に撓んだり、またその方向に対して反対の方向に反ることとなり、規制爪片と係合条片との係合状態を保つことが可能となるとともに、スラットの撓み量が大きくなりガイドレールの側壁をも撓ませてしまう場合であっても、スラットの端部において、連結体が撓むことで、規制爪片と係合条片との係合状態は解除されることがなく係合状態を保ち、ガイドレールからスラットが抜け出てしまうことはないという効果が得られる。
【００４３】
そして、この連結体を設けた構成によれば、連結体が撓むことにより、スラットが外力にて撓みガイドレールに対してスラットを抜け出させようとする力が、規制爪片と係合条片との係合部分に掛かり、連結体とスラット及び規制爪片との各固定部分へはせん断力のみとなって、その抜け出させようとする力を分散させることとなり、回転モーメントなどの無理な応力を固定部分に発生させることがなく、破損させてしまうことがないという効果が得られる。
【００４４】
また、本発明のスラットカーテンの抜止構造によれば、スラットカーテンを巻き取り、巻回状態とした際に、連結体が撓むことから、各規制爪片が重合状態となっても、重なり合う規制爪片が互いに退くようになり、これにより、スラットカーテンの巻回状態がスラットのみの巻回状態と略同様となり、すなわち、規制爪片が巻回状態の妨げとなることがなく、スラット同士を密に巻き取ることとなり、スラットカーテンの巻径を小径とすることが可能となる効果を得られる。そしてこのことから、巻回状態のスラットカーテンを収納する収納ケースを小型に構成することができるという効果を得られる。
【００４５】
さらに、ガイドレールのガイド溝内の係合条片をＬ字状に形成しガイド溝の奥方向に開口する溝を設けて、規制爪片の先端縁を係合条片の延出方向と逆の方向に延出するように形成させることで、上記したように、閉鎖状態となっているスラットカーテンに、風などの外力が加わり、スラットカーテンが煽られ撓んだ際には、この規制爪片と、ガイド溝内の係合条片とが互いに噛み合うように係合することとなり、スラットの端部がガイドレールのガイド溝から抜け出すことを防止する効果をさらに向上させることとなる。
【図面の簡単な説明】
【図１】本発明によるシャッターにおけるスラットカーテンの抜止構造の実施の形態を示す斜視図
【図２】（ａ）同抜止構造の動作を示す平断面図
（ｂ）同抜止構造の動作を示す平断面図
【図３】（ａ）同抜止構造を備えたスラットカーテンの巻回状態における側面図
（ｂ）同一部拡大正断面図
【図４】他の実施の形態の抜止構造の平断面図
【図５】（ａ）他の実施の形態の抜止構造における規制爪片の平断面図
（ｂ）他の実施の形態の抜止構造における規制爪片の平断面図
【図６】従来のスラットカーテンの抜止構造を示す平断面図
【図７】（ａ）同従来の抜止構造を備えたスラットカーテンの巻回状態の側面図
（ｂ）同一部拡大正断面図
【符号の説明】
１…ガイドレール
２…ガイド溝
３…開口縁部
５…係合条片
６…溝
７…スラットカーテン
８…スラット
８ａ…端部
９Ａ，９Ｂ…係合連結部（カール部）
１０…連結体
１０ｂ…先端
１２…規制爪片
１４ａ…先端縁
【図１】
0003787932.tif 000002
【図２】
0003787932.tif 000003
【図３】
0003787932.tif 000004
【図４】
0003787932.tif 000005
【図５】
0003787932.tif 000006
【図６】
0003787932.tif 000007
【図７】
0003787932.tif 000008